(57)【特許請求の範囲】
【請求項１】
符号分割多元接続ワイヤレス通信システム中で使用するための基地局において、
前記通信システムの複数のキャリア及び複数のアンテナセクタに割り当てられる信号に対する処理動作を提供するための複数のチャネルエレメントを各々が含む複数のチャネルユニットボードを有し、前記複数のチャネルユニットボードの１つの複数のチャネルエレメントの所与の１つが、前記システムの複数のキャリア及び複数のアンテナセクタの各々に割当て可能である
ことを特徴とする基地局。
【請求項２】
前記チャネルユニットボードの各々は、前記複数のキャリアの各々に対する１組のデジタル同相（Ｉ）および直交（Ｑ）信号を生成する
ことを特徴とする請求項１記載の基地局。
【請求項３】
前記チャネルユニットボードの少なくとも１つが、前記複数のキャリアのうちの所定の１つに関連づけられたＩおよびＱ信号バスへ前記チャネルエレメントのうちの所定の１つを接続するように動作可能なマルチプレクサを含む
ことを特徴とする請求項２記載の基地局。
【請求項４】
前記チャネルユニットボードのうちの所定の１つにより前記キャリアのうちの所定の１つに対して生成される前記ＩおよびＱ信号は、他のチャネルユニットボードにより前記所定のキャリアに対して生成されるＩおよびＱ信号と、別のチャネルユニットボードの中で結合される
ことを特徴とする請求項３記載の基地局。
【請求項５】
前記チャネルユニットボードのうち少なくとも一部のチャネルユニットボードの各々は、総数Ｎ個のチャネルエレメントを含み、前記チャネルエレメントの各々は、前記システムのＮ個までのキャリアのうちの１つに割当てられ得る
ことを特徴とする請求項１記載の基地局。
【請求項６】
前記システムの前記複数のキャリアへの前記チャネルユニットボードの前記チャネルエレメントの割当てを制御するための１つまたは複数の制御信号を生成するように動作可能な制御コンピュータをさらに有する
ことを特徴とする請求項１記載の基地局。
【請求項７】
前記ワイヤレス通信システムは、ＩＳ−９５Ａ標準、ＩＳ−９５Ｂ標準、直交伝送ダイバシティ（ＯＴＤ）を伴うＩＳ−９５Ｃ標準、ＯＴＤなしのＩＳ−９５Ｃ標準、マルチキャリア（ＭＣ）ｃｄｍａ２０００標準、およびユニバーサル移動通信システム（ＵＭＴＳ）標準のうちの少なくとも１つに従って動作する符号分割多元接続（ＣＤＭＡ）通信システムである
ことを特徴とする請求項１記載の基地局。
【請求項８】
符号分割多元接続ワイヤレス通信システム中で使用するための基地局を具現化する方法であって、前記基地局が、前記通信システムの複数のキャリア及び複数のアンテナセクタに割り当てられた信号に対する処理動作を提供するための複数のチャネルエレメントを各々が含む複数のチャネルユニットボードを有するものにおいて、
前記チャネルユニットボードの異なるチャネルエレメントが前記システムの異なるキャリア及び異なるアンテナセクタに割り当てられるように、前記チャネルユニットボードのうちの少なくとも１つのもつチャネルエレメントを、前記システムの複数のキャリア及び複数のアンテナセクタのうちの指定されたキャリア及びアンテナセクタに制御可能に割当てるステップを有し、
前記チャネルユニットボードの複数のチャネルエレメントの所与の１つが、前記システムの複数のキャリア及び複数のアンテナセクタの各々に割当て可能である
ことを特徴とする方法。
【請求項９】
符号分割多元接続ワイヤレス通信システムの基地局の設定に使用するための１つまたは複数のプログラムを格納するための機械読み出し可能な記憶媒体を含む装置であって、前記基地局は、前記通信システムの複数のキャリア及び複数のアンテナセクタに割り当てられる信号に対する処理動作を提供するための複数のチャネルエレメントを各々が含む複数のチャネルユニットボードを有するものにおいて、
前記１つまたは複数のプログラムは、実行される際、前記チャネルユニットボードの異なるチャネルエレメントが前記システムの異なるキャリア及び異なるアンテナセクタに割り当てられるように、前記チャネルユニットボードの少なくとも１つのもつチャネルエレメントを、前記システムの前記複数のキャリア及び複数のアンテナセクタのうちの指定されたキャリア及びアンテナセクタに制御可能に割当てるステップを実行し、
前記チャネルユニットボードの複数のチャネルエレメントの所与の１つが、前記システムの複数のキャリア及び複数のアンテナセクタの各々に割当て可能である
ことを特徴とする装置。
【請求項１０】
符号分割多元接続ワイヤレス通信システム中で使用するための基地局において、
前記通信システムの複数のキャリア及び複数のアンテナセクタに割り当てられた信号に対する処理動作を提供するための複数のチャネルエレメントを各々が含む複数のチャネルユニットボードと、
前記複数のチャネルユニットボードの少なくとも一部に結合された制御コンピュータとを有し、
前記複数のチャネルユニットボードの１つのもつチャネルエレメントの所与の１つが、前記システムの前記複数のキャリア及び複数のアンテナセクタの各々に割当て可能であり、前記制御コンピュータは、前記複数のチャネルユニットボードの複数のチャネルエレメントを前記システムの複数のキャリア及び複数のアンテナセクタのうち特定のキャリア及びアンテナセクタに割り当てるように動作可能である
ことを特徴とする基地局。
【請求項１１】
符号分割多元接続ワイヤレス通信システム中で使用するための基地局において、
前記システムにより送信される信号に対する処理動作を提供するための複数のチャネルエレメントを各々が含む複数のチャネルユニットボードと、
前記複数のチャネルユニットボードの少なくとも一部に結合された制御可能な信号コンバイナエレメントとを有し、
前記制御可能な信号コンバイナエレメントは、前記システムの複数のキャリア及び複数のアンテナセクタのうちの１つまたは複数における送信のために、前記複数のチャネルユニットボードのうちの所定の１つのもつ複数のチャネルエレメントの各々からの信号の割り当てを実施し、
前記チャネルユニットボードの複数のチャネルエレメントの所与の１つが、前記システムの複数のキャリア及び複数のアンテナセクタの各々に割当て可能である
ことを特徴とする基地局。
【請求項１２】
符号分割多元接続ワイヤレス通信システム中で使用するための基地局において、
前記システムにより受信される信号に対する処理動作を提供するための複数のチャネルエレメントを各々が含む複数のチャネルユニットボードと、
前記チャネルユニットボードのうちの所定の１つに関連づけられて、前記システムの受信バスに関連づけられた１組の信号を入力として受信し、前記所定のチャネルユニットボードのチャネルエレメントのうちの１つの対応する入力に各々が結合された複数の出力を有する制御可能なセレクタとを有し、
前記制御可能なセレクタは、前記所定のチャネルユニットボードのチャネルエレメントの１つ又は複数に対する前記システムの複数のキャリア及び複数のアンテナセクタの各々から受信された信号の割当てを実行し、
前記チャネルユニットボードの複数のチャネルエレメントの所与の１つが、前記システムの複数のキャリア及び複数のアンテナセクタの各々に割当て可能である
ことを特徴とする基地局。
【請求項１３】
符号分割多元接続ワイヤレス通信システム中で使用するための基地局であって、
前記通信システムの複数の無線周波数符号分割多重接続キャリアに割り当てられた信号に対する処理動作を提供するための複数のチャネルエレメントを各々が含む複数のチャネルユニットボードを含み、
前記複数のチャネルユニットボードの少なくとも１つがもつ複数のチャネルエレメントの少なくとも１つの空でないサブセットの各々は、前記システムの複数の無線周波数符号分割多重接続キャリアの各々に対して割当て可能であり、
前記チャネルユニットボードの各々は、前記複数の無線周波数符号分割多重接続キャリアのそれぞれ一つずつに関連する複数の信号バスのうち選択されたバスと、前記チャネルユニットボードの複数のチャネルエレメントの特定の出力とを、制御可能に連結するように構成される対応するマルチプレクサユニットを備える
ことを特徴とする基地局。
【請求項１４】
符号分割多元接続ワイヤレス通信システム中で使用するための基地局を具現化する方法であって、前記基地局が、前記通信システムの複数の無線周波数符号分割多重接続キャリアに割り当てられた信号に対する処理動作を提供するための複数のチャネルエレメントを各々が含む複数のチャネルユニットボードを有するものにおいて、
前記チャネルユニットボードの異なるチャネルエレメントが前記システムの異なる無線周波数符号分割多重接続キャリアに割り当てられるように、前記複数のチャネルユニットボードのうちの少なくとも１つのもつ複数のチャネルエレメントを、前記システムの複数の無線周波数符号分割多重接続キャリアのうちの指定されたキャリアに制御可能に割当てるステップを有し、
前記割当てるステップは、前記少なくとも１つのチャネルユニットボードのマルチプレクサユニットにおいて実行され、前記マルチプレクサユニットは、前記複数の無線周波数符号分割多重接続キャリアのそれぞれ一つずつに関連する複数の信号バスのうち選択されたバスと、前記チャネルユニットボードの複数のチャネルエレメントの特定の出力とを、制御可能に連結するように構成される
ことを特徴とする方法。
【請求項１５】
符号分割多重接続ワイヤレス通信システムの基地局を設定する際に使用される一つ又は複数のプログラムを記録する機械可読な記録媒体を含む装置であって、
前記基地局は、前記通信システムの複数の無線周波数符号分割多重接続キャリアに割当てられた信号に対する処理動作を提供するための複数のチャネルエレメントを各々が含む複数のチャネルユニットボードを有し、
前記一つ又は複数のプログラムは、前記チャネルユニットボードの異なるチャネルエレメントが前記システムの異なる無線周波数符号分割多重接続キャリアに割り当てられるように、前記複数のチャネルユニットボードのうちの少なくとも１つのもつ複数のチャネルエレメントを、前記無線周波数符号分割多重接続キャリアのうちの指定されたキャリアに制御可能に割当てるステップを有し、
前記割当てるステップは、前記少なくとも１つのチャネルユニットボードのマルチプレクサユニットにおいて実行され、前記マルチプレクサユニットは、前記複数の無線周波数符号分割多重接続キャリアのそれぞれ一つずつに関連する複数の信号バスのうち選択されたバスと、前記チャネルユニットボードの複数のチャネルエレメントの特定の出力とを、制御可能に連結するように構成される
ことを特徴とする装置。
【発明の詳細な説明】
【０００１】
【発明の属する技術分野】
本発明は、符号分割多元接続（ＣＤＭＡ）ワイヤレスシステムおよび他のタイプのワイヤレス通信システムにおける基地局装置に係り、特に、基地局装置において使用するためのチャネルプーリング(channel pooling)技法に関する。
【０００２】
【従来の技術】
ワイヤレス通信システムにおける急速なペースの開発は、典型的には、そのようなシステムの動作を定義する標準に対するかなり大きな変化をもたらした。例えば、ＩＳ−９５ＣＤＭＡワイヤレスシステムの動作を定義する標準は、ＴＩＡ／ＥＩＡ  ＩＳ−９５ＡからＴＩＡ／ＥＩＡ  ＩＳ−９５Ｂへ進歩し、ＩＳ−９５Ｃとしても知られているＴＩＡ／ＥＩＡ  ＩＳ−２０００に向かって動いている途中である。ＩＳ−９５Ａ，ＩＳ−９５ＢおよびＩＳ−９５Ｃ標準は、ここでは集合的にＩＳ−９５と呼ぶ。マルチキャリア（ＭＣ）ｃｄｍａ２０００およびＵＭＴＳ（Universal Mobile Telecommunication System ）として知られる次世代ヨーロッパ標準のような他のＣＤＭＡ標準も、提案されている。
【０００３】
これらの関連する標準は、各々、移動体ユニットがセルサイトに関連づけられた基地局と通信することを可能にするエアインタフェース仕様を定義する。インタフェース定義は、典型的には、１組のエアインタフェースチャネル、チャネル信号エンコーディングルール、およびシグナリングメッセージを含み、移動体ユニットがランドラインネットワークとの間および他の移動体ユーザとの間で音声またはデータ呼びを送受信することを可能にする。
【０００４】
図１は、上述したＩＳ−９５標準に従って構成された基地局１００の一例を示す。基地局１００は、制御コンピュータ１０２、コントロールおよびトラフィックバス１０４、および１組のＭ個のチャネルユニットボード１０６−ｉ、ｉ＝１，２，…Ｍを含む。制御コンピュータ１０２は、移動体交換センタ（ＭＳＣ）とインタフェースし、ＭＳＣは、他の基地局および公衆交換電話網（ＰＳＴＮ）へのリンクを提供する。ＩＳ−９５  ＣＤＭＡシステムにおいて、所定の基地局アンテナセクタにおける異なるユーザ呼びからの拡散スペクトルデジタル信号は、一緒に加算されて、そのセクタのための合成拡散スペクトルデジタル信号を生成する。
【０００５】
合成拡散スペクトルデジタル信号は、１つまたは２つ以上のチャネルユニットボード１０６により生成される。図１の基地局デザインは、チャネルユニットボード１０６が、１つのＣＤＭＡキャリアＣ１および３個までの１２０°アンテナセクタα，βおよびγ上のユーザのサポートにおいて次のボードに信号を通信することを可能にする。３セクタシステムは、一般に、実用されているが、全方向性アンテナおよび２セクタシステムも使用され得る。６セクタのような多数のセクタの仕様は、あまり一般的でないが、可能である。
【０００６】
図１の基地局１００中の各チャネルユニットボード１０６−ｉの中で、Ｎまでの数のユーザの拡散スペクトルデジタル信号が、セクタ単位で一緒に加算される。各セクタに対して、特定のチャネルユニットボード１０６−ｉによりサービスされたユーザの加算された拡散スペクトルデジタル信号は、先行するチャネルユニットボート、即ち図１のデザインにおいてその左のチャネルユニットボートからのそれぞれの信号に加算される。加算されたデジタル信号は、チャネルユニットボード１０６−ｉから出力され、図１中の３個の無線ボードの組１０８−１，１０８−２および１０８−３により近いネクストインライン（next-in-line）チャネルユニットボード１０６−（ｉ＋１）に対する入力となる。
【０００７】
したがって、チャネルユニットボート毎にＮ人までのユーザが、チャネルユニットボードからチャネルユニットボードへの信号を加算するメカニズムにより一緒に加算される。Ｍ個のそのようなチャネルユニットボードを有するデザインにおいて、各々がＮまでの数のユーザをサポートするＭ×Ｎまでの総数のユーザが、３セクタα，βおよびγにおいてサポートされ得る。チャネルユニットボード間の相互接続は、送信デジタル信号通信バスＴｘ−ｂｕｓにより提供される。
【０００８】
図１の基地局１００の説明は、主にその送信動作についてのものであるが、受信動作に対しては同様の相互接続が問題となる。対応する受信バス（Ｒｘ−ｂｕｓ）は、説明の明瞭さかつ単純化のために図１から省略されている。
【０００９】
チャネルユニットボード１０６−ｉの各々におけるデジタル処理エレメントは、３個のセクタα，βおよびγのうちのいずれかにおいてユーザ呼びをサポートするために使用され得る。この能力は、ここでは、チャネルエレメントプーリング、または単にチャネルプーリングと呼ばれ、図１のデザインにおいて、１キャリアおよび３セクタに対して適応される。そのような構成は、特に、シングルキャリア／マルチセクタチャネルプーリングと呼ばれる。
【００１０】
図１において、３セクタα，βおよびγの各々および１つのＣＤＭＡキャリアＣ１に対する同相（Ｉ）および直交位相（Ｑ）信号は、チャネルユニットボードからチャネルユニットボードへ加算され、最終的に、セクタに依存して、３個の無線ボード１０８−１，１０８−２および１０８−３のうちの１つに渡される。各無線ボード１０８−１，１０８−２および１０８−３は、デジタルのＩおよびＱ信号入力をＲＦ信号に変換する。
【００１１】
セクタα，βおよびγに対するＲＦ信号は、それぞれ、電力増幅器１１０−１，１１０−２および１１０−３により増幅され、送信フィルタ１１２−１，１１２−２および１１２−３においてフィルタされ、送信アンテナ１１４−１，１１４−２および１１４−３により放射される。他のタイプの通常の技法が、チャネルユニットボード間で信号を通信するために使用することができ、例えば、各セクタに対するＩおよびＱ信号は、１つのバックプレーントレースにおいて多重化され得る。
【００１２】
図１の基地局１００のような通常のＩＳ−９５  ＣＤＭＡ基地局は、典型的には、シングルキャリアレベルにおいてのみチャネルエレメントプーリングをサポートし、即ちシングルキャリア／マルチセクタチャネルプーリングのみをサポートする。図２は、基地局１００の所定のチャネルユニットボード１０６−ｉのチャネルエレメント間の送信方向相互接続、より具体的にはセルサイトモデム（ＣＳＭ）とここで呼ばれるものを示す。
【００１３】
所定のチャネルユニットボード１０６−ｉのＮ個のチャネルエレメントの各々は、一般に、Ｎ人のユーザのうちの特定の一人に対する単一の音声またはデータ呼びをサポートし、例えば単一の集積回路または集積回路の一部に対応し得る。図２において、チャネルエレメント１２０−Ｎ，１２０−（Ｎ−１）および１２０−（Ｎ−２）は、図示されているように、"デイジーチェーン（daisy chain）" 構成に相互接続されている。図２に示されていないが、１つまたは２つ以上の追加的なチェーンが、所定のチェーンのうちのあるエレメントが故障した場合の冗長性のために提供され得る。
【００１４】
図２に示された例示的なチェーンの所定のチャネルエレメントは、３個のセクタα，βおよびγに対するそれ自体の出力を、チェーンの先行するエレメントの対応する出力と結合する。そして、得られた結合された出力は、チェーンの中の次のエレメントへ送られる。チェーン中の最後のエレメント、即ちこの例におけるエレメント１２０−Ｎの出力は、前述したようにさらなる処理のためにシステムバックプレーンまたは適切なボードコンバイナに送られる。
【００１５】
図３は、送信および受信方向におけるチャネルエレメントの相互接続の一例を示す。受信方向において、所定チェーン中のＣＳＭの全てが、同じ情報を受信する。即ち、ＣＳＭは、デージーチェーンではなくブロードキャストバスを使用して接続されている。図３の構成は、各々Ｎ＝１０個のチャネルエレメントを有する２個のチェーンＡおよびＢを含む。各チェーン中のチャネルエレメントは、ＣＳＭ０ないしＣＳＭ９である。チェーンの各々における各チャネルエレメントは、３個のセクタα，βおよびγの各々に対するベースバンド受信データを受信する。送信および受信チャネルが対称的であるので、送信方向に割り当てられた同じキャリアが、受信方向に対しても割り当てられる。
【００１６】
【発明が解決しようとする課題】
図１，２および３との関係で説明した従来のシングルキャリア／マルチセクタチャネルプーリング構成における大きな問題は、所定のチェーン中のチャネルエレメントのうちのいずれか１つが特定のキャリアに割り当てられた場合、そのチェーン中のチャネルエレメントの全て、またはこの場合対応するチャネルユニットボードが、システム中のいずれか他のキャリアに割り当てることができないことである。従来の構成における別の問題点は、チェーン中の単一のチャネルエレメントの故障が、チェーン全体の故障を引き起こし得ることである。したがって、従来のシングルキャリア／マルチセクタチャネルプーリングに比べて、システム柔軟性および信頼性を向上させたマルチキャリア／マルチセクタチャネルプーリング構成に対するニーズが存在する。
【００１７】
【課題を解決するための手段】
本発明は、ワイヤレスシステム基地局において使用するためのマルチキャリア／マルチセクタチャネルプーリング技法を提供する。本発明によれば、ワイヤレス通信システム基地局は、複数のチャネルユニットボードを含み、各々が、信号処理動作を提供するための複数のチャネルエレメントを有する。所定のチャネルユニットボードは、そのボードのチャネルエレメントのうちの所定の１つをシステムの複数キャリアのうちのいずれか１つに割り当てることにより、マルチキャリア／マルチセクタチャネルプーリングを実行するように動作可能なマルチプレクサを含む。
【００１８】
例えば、所定のチャネルボード中のマルチプレクサは、そのボードのチャネルエレメントをシステムキャリアのうちの異なるものに関連づけられたＩ／Ｑ信号バスに接続するように動作可能であり得る。各キャリアに対するＩ／Ｑ信号バスは、他のボードからの同じキャリアに対する対応する信号バスと、所定のボード上で結合される。したがって、本発明は、所定のチャネルユニットボードのＮ個のチャネルエレメントの各々をシステムのＮ個までのキャリアのうちの特定の１つに割り当てるために使用され得る。
【００１９】
好都合なことに、本発明は、チャネルユニットボードのチャネルエレメントが、所定のシステム構成において全ての利用可能なキャリアについてプールされることを可能にする。また、本発明は、所定のチャネルユニットボード上のいかなる故障したチャネルエレメントも単に使用されず、そのチャネルユニットボードの性能に影響を与えないので、システム信頼性を改善する。また、本発明は、基地局装置が、動作標準における変更をサポートするために、容易にかつ効率よくアップグレードまたは再構成されることを可能にする。本発明のこれらおよび他の特徴および利点は、以下の詳細な説明および添付図面から明らかとなるであろう。
【００２０】
【発明の実施の形態】
本発明は、例示的なワイヤレス通信システムとの関連で以下に説明される。しかし、本発明は、いずれか特定のタイプのワイヤレスシステムに限定されるものではなく、基地局がシステム動作標準におけるアップグレードまたは他の変更により容易に適合できるように、システム基地局におけるより柔軟なチャネルプーリング能力を提供することが望ましいいかなるワイヤレスシステムにも一般に適用可能である。例えば、ＩＳ−９５  ＣＤＭＡ標準に従って構成されたシステムを参照して説明するが、当業者にはこの技法が他のワイヤレスシステムにも適用可能であることが明らかとなるであろう。
【００２１】
図４は、本発明によるマルチキャリア／マルチセクタチャネルプーリングを有するチャネルユニットボード２００の例示的実施形態を示す。この実施形態は、ＣＳＭ１ないしＣＳＭＮで示されたＮ個のチャネルエレメント２０２−１，２０２−２，…２０２−Ｎおよびマルチキャリア／マルチセクタマルチプレクサ２０４を含む。システムクロックは、チャネルエレメントの各々およびマルチプレクサ２０４に結合されている。
【００２２】
マルチプレクサ２０４は、チャネルエレメント２０２−ｊ、ｊ＝１，２，…Ｎの各々が、システムバックプレーンにおいて利用可能ないずれかのキャリアおよびセクタに割当てられることを可能にする。マルチプレクサ２０４は、チャネルエレメント２０２−ｊの各々からのα，βおよびγセクタ出力に結合された入力を有する。この実施形態におけるα，βおよびγセクタ出力の各々は、そのセクタに対するＩおよびＱ信号を含む。この実施形態は３個のセクタを使用するが、本発明はいかなる数のセクタにも適用可能であると理解されなければならない。
【００２３】
マルチプレクサ２０４は、Ｎ個のチャネルエレメントからのセクタ出力をＮ個までの異なるキャリアＩ／Ｑバスのうちのいずれか１つに結合することができる。各チャネルエレメント２０２−ｊから特定のチャネルへのα，βおよびγセクタ出力の接続は、マルチプレクサ２０４に加えられるマルチプレクサ制御信号により決定される。この実施形態において数Ｎがチャネルエレメントの数および異なるキャリアの最大数を指定するために、説明の単純化のために使用されているが、チャネルエレメントの数およびキャリアの数は等しい必要はなく、実際には、典型的には等しくないことが理解されるべきである。より具体的には、キャリアの数は、一般に、所定の構成において、チャネルエレメントの数よりも少ない。
【００２４】
マルチプレクサ制御信号は、例えば、対応するシステム基地局に関連づけられた図１の制御コンピュータ１０２のような制御コンピュータにより生成され得る。マルチプレクサ２０４は、キャリア毎に、セクタ毎に、チャネルユニットボード２００の局所的に生成されたＩおよびＱデータストリームとダウンストリームチャネルユニットボードからのＩおよびＱ信号を結合させるようにさらに動作可能である。マルチプレクサ２０４に加えられる他の入力信号は、ＣＳＭからＭｕｘへのクロックおよびＭｕｘからバックプレーンへのクロックを含む。
【００２５】
図４のチャネルユニットボード２００の可能性のある構成の一例として、対応するシステムは、６個までのキャリアおよび３個までのセクタ、即ち総数で１８個のキャリア／セクタのチャネルエレメントプーリングをサポートすることになると仮定する。説明の単純化のために、チャネルユニットボード２００はＮ＝６のチャネルエレメント２０２−ｊを含み、各々が、１キャリアおよび３セクタのＩおよびＱ信号データの処理が可能であると仮定される。また、マルチプレクサ２０４は、同じキャリアに割り当てられたチャネルエレメントに対するチャネルエレメント出力をデジタル的に加算することができると仮定されている。
【００２６】
これらの構成パラメータは、単なる例であって、本発明が構成され得る可能性のあるシステム構成のクラスに限定されることを意図するものでないことが理解されなければならない。セクタ出力毎のビットの数、ＣＳＭからＭｕｘへのクロックレートおよびＭｕｘからバックプレーンへのクロックレートのような他のパラメータは、一般に、この技術分野においてよく知られているように、使用される特定の構成に依存して変化し、したがってここでは具体的に示さない。
【００２７】
上述した例示的構成において、キャリア１が呼びまたは他のタイプの通信チャネルを加えるために必要とされる場合、システム制御コンピュータは、マルチプレクサ２０４を、選択されたチャネルエレメント、例えばＣＳＭ２のセクタ出力を、キャリア１Ｉ／Ｑバスへ経路選択することを指図することになる。そして、このチャネルエレメントからのＩおよびＱ信号は、下流のチャネルユニットボードからの同じキャリアのＩおよびＱ信号と結合される。
【００２８】
別のチャネルがキャリア２に加えられる必要がある場合、マルチプレクサは、２つのチャネルエレメント、例えばＣＳＭ２およびＣＳＭ３のセクタ出力を、まず結合し、そしてそれらを下流のチャネルユニットボードからのキャリア２Ｉ／Ｑバスと結合させることになる。そして、別のチャネルがキャリア２に加えられる必要がある場合、別の利用可能なチャネルエレメントが、適切なマルチプレクサ制御信号の生成により、キャリア３に対して選択されかつ割り当てられる。マルチプレクサ２０４中の適切な制御ロジックの構成により、いずれか所望の数のキャリアおよびセクタが、チャネルユニットボード２００において、サポートされ得る。
【００２９】
図５は、チャネルユニットボート２００のＮチャネルエレメント２０２−ｊが送信方向に結合される方法をより詳細に示す。チャネルエレメント２０２−ｊの各々は、前述したようにキャリアＩ／Ｑバスのうちの１つに結合される。そして、キャリアＩ／Ｑバスは、Ｎ個のコンバイナ２２５−ｊの各々に加えられ、それは、キャリアの各々に割り当てられたチャネルエレメントの各々に対するチャネルエレメント出力を加算する。
【００３０】
ローカルコンバイナ制御信号は、コンバイナがキャリアＩ／Ｑバスの各々に対する適切なチャネルエレメント信号を結合するように、コンバイナ２２５−ｊを制御する。コンバイナ２２５−ｊの各々の出力は、キャリアのうちの特定の１つに対するローカルキャリアＩ／Ｑバスを表す。これらのローカルキャリアＩ／Ｑバスの各々は、マルチキャリアデジタルコンバイナ２３０に加えられる。マルチキャリアデジタルコンバイナ２３０は、他のチャネルユニットボードからの対応する信号を運ぶアップストリームＩ／Ｑバス２３１を入力として受信し、ローカルキャリアＩ／Ｑバスを、他のチャネルボードからのＩ／Ｑバスと結合し、システム送信Ｉ／Ｑバスを作る。
【００３１】
図５に示された送信方向結合プロセスは、チャネルユニットボードからのデータをデージーチェーン化することにより、異なるチャネルユニットボードからのマルチキャリアＩ／Ｑバスをチャネルユニットボードに結合し、各チャネルユニットボードにおけるデジタル加算を実行する。エレメント２２５−ｊおよび２３０は、図４のマルチキャリア／マルチセクタマルチプレクサ２０４のエレメントを表す。
【００３２】
図６Ａおよび６Ｂは、チャネルユニットボード２００のＮチャネルエレメント２０２−ｊが受信方向において結合される方法をより詳細に示す。受信方向において、キャリア毎に単一のブロードキャストバスが、１組の無線ボード２３２をＭ個のチャネルユニットボードとインタフェースするために使用される。Ｍ個のチャネルユニットボードの各々は、マルチキャリア／マルチセクタチャネルプールにおいてＮ個までのチャネルエレメントをサポートする。１組の無線ボード２３２および複数のチャネルユニットボード２００−１，２００−２，…，２００−Ｍを有する基地局２３５において、各チャネルユニットボードは、図６Ａに示されているように同じＩ／Ｑバスにインタフェースすることになる。
【００３３】
そのような構成におけるＩ／Ｑバスは、Ｎ個のキャリア／セクタからなる、即ちキャリアおよびセクタ結合の総数はＮである。例えば、６キャリア、３セクタチャネルプールに対して、３６ワイヤＩ／Ｑバスは、特定のクロックレートにおいてＩに対して１ビットおよびＱに対して１ビットを提供するように構成され得る。チャネルユニットボード２００のうちの所定の１つの入力において、Ｉ／Ｑルーティング制御信号に応答して、Ｉ／Ｑバスセクタ２４０は、正しいキャリア／セクタＩ／Ｑバスを、図６Ｂに示されているように、チャネルエレメント２０２−１，２０２−２，…，２０２−Ｎに接続する。
【００３４】
好都合なことに、上述したマルチキャリア／マルチセクタチャネルプーリング構成は、従来のシングルキャリア／マルチセクタアプローチに比べて実質的に改善された柔軟性を提供する。特に、本発明のチャネルプーリングは、いずれかのチャネルエレメントをシステム中のいずれかのキャリアセクタに割り当てられることを可能にする。例えば、本発明のチャネルプーリングは、所定のチャネルユニットボードの全てのチャネルエレメントが単一のキャリア、即ちＫ個のキャリアの異なる１つまたは他の組合せのいずれかの数に割り当てられるべき各チャネルエレメントに割り当てられることを可能にする。ここで、Ｋ≦Ｎである。
【００３５】
本発明は、所定の基地局デザインが、同じ基地局ハードウェアを使用して異なるワイヤレス通信標準をサポートすることを可能にする。本発明は、追加的な容量を提供するためにまたは動作標準の変更をサポートするために現存する装置が容易にかつ効率よくアップグレードされることを可能にすることにより、基地局装置購入者の透視も保護する。また、本発明は、所定のチャネルユニットボード上のいずれの故障したチャネルエレメントも単に使用されず、そのチャネルユニットボードの性能に影響を与えないので、向上した信頼性を提供する。
【００３６】
また、本発明は、直交送信ダイバースティ（ＯＴＤ）を伴うまたはこれを伴わないＩＳ−９５Ｃ、マルチキャリア（ＭＣ）ｃｄｍａ２０００またはＵＭＴＳ（Universal Mobile Telecommunications System）のような様々な異なるワイヤレスシステム標準との組合せで動作するように構成された基地局において実施され得る。
【００３７】
【発明の効果】
以上説明したように、本発明によれば、従来のシングルキャリア／マルチセクタチャネルプーリングに比べて、システム柔軟性および信頼性を向上させたマルチキャリア／マルチセクタチャネルプーリング構成を提供することができる。
【図面の簡単な説明】
【図１】  ＩＳ−９５  ＣＤＭＡワイヤレス通信標準をサポートするように設計された従来の基地局の一例を示す図。
【図２】  図１の従来の基地局における複数のチャネルエレメントの相互接続を示す図。
【図３】  図１の従来の基地局における複数のチャネルエレメントの相互接続を示す図。
【図４】  本発明の例示的実施形態におけるチャネルエレメントのマルチキャリア／マルチセクタプーリングを示す図。
【図５】  本発明の例示的な実施形態による送信方向における複数のチャネルエレメントの相互接続を示す図。
【図６】  本発明の例示的実施形態による受信方向における複数のチャネルエレメントの相互接続を示す図。
【符号の説明】
２００  チャネルユニットボード
２０２ チャネルエレメント
２０４  マルチプレクサ
【図１】
0004625171.tif 000002
【図２】
0004625171.tif 000003
【図３】
0004625171.tif 000004
【図４】
0004625171.tif 000005
【図５】
0004625171.tif 000006
【図６】
0004625171.tif 000007